(57)【要約】  足部分（２）と、そこから延在している実質的に平坦なブレード部分（３）とを備える水泳用足ひれ（１）であって、前記ブレード部分（３）は、その各長手方向側部に、内向きに前記ブレード部分（３）の平面に対して９０度以下の角度で延在している少なくとも２つの対向したレール（４／５）を提供しており、前記ブレード部分（３）は、好ましくは前記ブレード部分（３）の下側に、前記足部分（２）から長手方向に延在している少なくとも２つの隆起部（７／８）を提供しており、前記足部分（２）は、一体型のストラップ（６）を提供しており、前記足部分（２）は、別の前記足ひれ部分（１）の対応し対向している結合部に係合および係合解除して、２つの足ひれを互いに取り付けられた状態でかみ合わせ保持するための少なくとも２つの固定された結合部（１１／１２）を提供している、水泳用足ひれ（１）が提供される。
2019516528.tif 000002
【特許請求の範囲】
【請求項１】
足部分と、そこから延在している実質的に平坦なブレード部分とを備える水泳用足ひれであって、前記ブレード部分が、その各長手方向側部に、内向きに前記ブレード部分の平面に対して９０度以下の角度で延在している少なくとも２つの対向したレールを提供しており、前記ブレード部分が、好ましくは前記ブレード部分の下側に、前記足部分から長手方向に延在している少なくとも２つの隆起部を提供しており、前記足部分が、一体型のストラップを提供しており、前記足部分が、別の前記足ひれ部分の対応し対向している結合部に係合および係合解除して、２つの足ひれを互いに取り付けられた状態でかみ合わせ保持するための少なくとも２つの固定された結合部を提供している、水泳用足ひれ。
【請求項２】
前記レールが、形状が互いに鏡対称であり、実質的に前記足ひれ部分の各長手方向縁部の長さに延在して、前記前方ブレード縁部から内向きに見たとき、横向きの「Ｖ」形状を形成する、請求項１に記載の水泳用足ひれ。
【請求項３】
前記レールが、好ましくは前記足ひれの前部または後部に向かって先細になっているとともに、前記足ひれ部分の縁部の中央に向かって広くなっている、請求項２に記載の水泳用足ひれ。
【請求項４】
前記レールが、使用されるときの摩擦係数および潜在的な抗力を最小にするために、前記足部分の前記側部に滑らかに一体化するように成形されている、請求項２および３に記載の水泳用足ひれ。
【請求項５】
前記ブレード部分の上の前記レールに、前記足ひれ部分の前記ブレード部分の下のレールの表面積以上の表面積が与えられる、請求項２に記載の水泳用足ひれ。
【請求項６】
前記ブレード部分の上の前記レールは、前記レールのこのエリアが、流れる水の圧力に応答して曲がり、推進効率を損なうことなく着用者に快適さを提供し、前記足ひれの縁部上およびその周りで動く押しのけられた水を制御した態様で解放することができるように、前記足ひれ部分の他の領域よりも可撓性および弾性を高くされる、請求項５に記載の水泳用足ひれ。
【請求項７】
前記ブレード部分が、前記ブレード部分の下側で前記足部分から長手方向に、前記レールに平行に、前記前方ブレード縁部に向かって前記足ひれの中心線の両側で等距離に延在している２つの実質的に直立した隆起部を提供している、請求項１に記載の水泳用足ひれ。
【請求項８】
前記足部分が、前記足部分の下側から垂直方向に、前記足ひれの中心線の両側で等距離に配置および配向された少なくとも２つの固定された結合部を提供している、請求項１に記載の水泳用足ひれ。
【請求項９】
前記足部分が、前記足部分の空洞内に着用者の足を容易に挿入することを可能にする入口穴を提供するための、成形された可撓性の一体型ストラップを提供している、請求項１に記載の水泳用足ひれ。
【請求項１０】
実質的に、添付図面を参照して上に記載された通りの水泳用足ひれ。
【発明の詳細な説明】
【技術分野】
【０００１】
本発明は、水泳をするとき、または水に基づく活動を行うときに着用者に向上した推進力を提供する、水泳用に使用される足ひれの設計および性能の向上に関する。
【背景技術】
【０００２】
本発明は、水泳、または他の水に基づく活動を足ひれを用いて行うときに、着用者が向上した推進力を得られるようにするための水泳用足ひれの設計および性能の向上に関する。足ひれは、着用者にさらなる推進力を提供するために一般的に使用されており、水泳、スキューバダイビング、ボディーサーフィン、ボディボード、サーフレスキュー、および水泳トレーニングにおいて広く使用されている。
【０００３】
波の中空のまたは湾曲した表面に乗るとき海でうまくボディーサーフィンまたはボディボードをする際の重要な要因は、波の壁のこの部分の上で牽引力を維持し、ボディサーファまたはボディボーダがこの重要な波の浮力または「スイートスポット」区分で自らの位置を維持できるようにすることである。波のこの重要な区分は、ボディサーファまたはボディボーダを、彼らの上で波が「崩れる」ことなく、または彼らが波の湾曲部を通って投げ出されることなく、浮かせ、バランスをとらせ、前方に推進する。着用者の脚の延長部分としての足ひれによって提供される推力、推進力、および方向に関する動きによって、ボディサーファまたはボディボーダは、波の壁に対して自らの位置を正確に制御および管理することができ、したがって波に「乗る」ように波のこの重要な区分内に留まることができる。
【０００４】
従来の足ひれは、通常、実質的に平坦なゴムのフラップであり、そのフラップは、着用者の脚でキックするたびに押しのけられる水の面積を増大させることによって、着用者のキック効果を増幅するように靴の部分から延在している。しかしこのキック効果は、足ひれの上下運動の間に足ひれ表面のそれぞれの縁部上を、押しのけられた水が妨げられることなく動いて逃れることによって、低減される。またボディーサーフィンおよびボディボード用途において必要とされる、方向に関する動きの制御は、それぞれの足ひれの両側に設けられた２つの制御「縁部」だけによって制限される。さらに水中を動くときレールのない足ひれは、その周りに量の変化する水流があり、その水流は、足ひれ表面の形状が変化することから足ひれ表面上を流れるときに妨害され、それにより、典型的には足ひれに向かって押し返される渦巻が形成されることになり、足ひれ周りに量の変化する水の抗力が生じる。
【発明の概要】
【発明が解決しようとする課題】
【０００５】
本発明の目的は、水の押しのけ損失を低減させ、水の抗力を低減させ、「縁部」、「隆起部」、および「レール」などのより多くの制御表面をそれぞれの足ひれに設けることによって方向に関する動きの制御力を向上させ、水の牽引力を増大させ、それぞれの足ひれの上下運動中に推力、したがって着用者の速度、を増大させることによって、従来の足ひれの機能上の効果を増大させることである。
【課題を解決するための手段】
【０００６】
一態様によれば、本発明は、足部分と、そこから延在する実質的に平坦なブレード部分とを備える水泳用足ひれであって、前記ブレード部分は、前記足ひれの平坦なブレードに対して内向きに、上下に傾斜して延在している少なくとも２つの対向したレールを、その各長手方向縁部に提供しており、水から出て歩くときの安定性、および水中でキックするための剛性を着用者に提供するように足部分からブレードの下側に延在している２つの隆起部を提供しており、前記足部分は、対向する足部分の結合部の対応し対向している結合部に係合および係合解除して、使用者によって着用されていないときに足ひれを互いに取り付けられた状態でかみ合わせ保持することができる少なくとも２つの固定された結合部を有している、水泳用足ひれを提供する。好ましくは、前記レールは、実質的に前記足ひれ部分のそれぞれの長手方向縁部の長さに延在している。
【０００７】
好ましくは少なくとも２つの実質的に直立した隆起部が、足ひれ部分の表面の下側に設けられる。前記隆起部は、好ましくはブレードの下側で足部分から長手方向に、前記足ひれ部分の前方ブレード縁部に向かって中心線の両側で等距離に延在している。
【０００８】
好ましくは、前記足ひれは、耐久性、弾性、および可撓性のある足ひれを提供するように、ゴムまたはプラスチック状材料から熱射出成形または圧縮成形される。さらに好ましい形態では、水泳用足ひれの靴部分、および平坦なブレード部分の上のレールは、推進効率を損なうことなく着用者に快適さを提供し、足ひれの各側部の上またはその周りで動く押しのけられた水を、制御した態様で解放するように、足ひれ部分よりも可撓性および弾性を高くされる。
本発明の好ましい実施形態が、添付図面を参照しながら単なる例としてここで記述される。
【図面の簡単な説明】
【０００９】
【図１】本発明による水泳用足ひれの平面斜視図である。
【図２】図１に示されている足ひれの側方正面図である。
【図３】図１の足ひれの下側斜視図である。
【発明を実施するための形態】
【００１０】
図を参照すると、水泳用足ひれ１は、足部分２と、実質的に平坦なブレード部分３とを備えている。ブレード部分３のそれぞれの長手方向側部には、１対のレール４および５が設けられている。図１および図３に示されているこれらのレール４および５は、平坦なブレード部分３の上下に９０度以下の角度で内向きに延在しており、前方ブレード縁部１０から内向きに見たときに、横向きの「Ｖ」の形状を形成している。足部分２は、足部分２の空洞内に着用者の足を挿入することを可能にする入口穴を提供するように形成された、成形された可撓性の一体型ストラップ６を提供している。前記ブレード部分３には、２つの実質的に直立した隆起部７および８が、好ましくはブレード３の下側で足部分２から長手方向に、前記足ひれ部分の前方ブレード縁部１０に向かって中心線９から等距離に延在した状態で、設けられている。前記足部分２には、中心線９から等距離に、その両側に、足部分２の下側から垂直方向に固定された少なくとも２つの結合部１１および１２が設けられており、その結合部１１および１２は、別の前記足ひれ１部分の対応し対向している結合部に係合および係合解除して、使用者によって着用されないときに、足ひれを互いに取り付けられた状態でかみ合わせ保持する。好ましくは前記レール４および５は、実質的に、前記足ひれ１部分のそれぞれの長手方向縁部の長さに延在している。
【００１１】
サイドレール４および５は、形状が互いに鏡対称であり、好ましくは足ひれ１の前部または後部に向かって先細になっているとともに、図２に示されるように足ひれ部分の縁部の中央に向かって広くなっている。ブレード部分３上に位置付けられたレール４および５の表面積１３は、ブレード部分３の下側に位置付けられたレール４および５の表面積１４以上である。さらにレール４および５は、摩擦係数を最小にするために、足ひれ１の足部分２に滑らかに一体化するように成形される。
【００１２】
使用中サイドレール４および５は、足ひれの上下運動中に、押しのけられる水を捕捉し、一時的に保持し、足ひれ１の前方ブレード縁部１０に向かって通す。こうして水を通すことによって、レール４および５内で上向きと下向きの運動の間の時間に近似した時間の間、ある体積の水を捕捉および保持することで、ブレード部分３表面の各側部にわたって、押しのけられる水の損失を低減させることができ、これにより、前方ブレード縁部１０に向かって進む水の量が増大し、ひいてはそれにより、着用者が足ひれでキックする間に提供される前方への推進力が増大される。サイドレール４および５は、水に係合する表面または縁部の数を増やすことによって、牽引力および方向に関する制御力をさらに増大させ、したがって波によって前方に推進されたときに「ゴム状」の効果を生み出すように足ひれ１を使う能力が着用者に与えられる。
【００１３】
ブレード部分３の下側には、少なくとも２つの実質的に直立した隆起部７および８が、足部分２から長手方向に、レール４および５に平行に、前記足ひれ１部分の前方ブレード縁部１０に向かって中心線９の両側で等距離に延在した状態で、さらに設けられており、歩行時の安定性、および水中での方向に関するさらなる制御力を、着用者に与える。
【００１４】
さらなる好ましい形態では、水泳用足ひれ１の靴部分２および、平坦なブレード部分３の上に位置付けられたレール領域１３は、レール１３のこのエリアが、流れる水の圧力に応答して曲がり、推進効率を損なうことなく着用者に快適さを提供し、足ひれ１の縁部上またはその周りで動く押しのけられた水を制御した態様で解放することができるように、足ひれ部分１の他の領域よりも可撓性および弾性を高くされる。
【００１５】
本発明は記述された特定の実施形態に制限されず、記述された本発明の趣旨または範囲から逸脱することなく本発明のさらなる実施形態および適例が存在し得ることが、当業者には明らかであろう。
【図１】
2019516528.tif 000003
【図２】
2019516528.tif 000004
【図３】
2019516528.tif 000005
【国際調査報告】
2019516528.tif 000006
2019516528.tif 000007
2019516528.tif 000008
2019516528.tif 000009
2019516528.tif 000010